(57)【要約】【課題】横回転ロックレバーを簡易かつ安全に操作できる樋支持具を提供する。【解決手段】樋支持具１の横回転ロックレバー５０は、連結軸を貫通させる孔５２を有した基板５１と、基板５１の端部より下方に向けて垂下し対向する一対の下方把持片５４と、基板５１の端部より、樋支持具本体３０の両側方に向けて突出した一対の側方把持片５３とを備えている。【選択図】図１
2010150882.tif 000002
【特許請求の範囲】
【請求項１】
取付杆と、横方向に回転させる横回転ロックレバーを有したロック機構とを、それらの間に、長孔を設けた樋支持具本体を挟み込んだ状態で該長孔を貫通する連結軸で連結して、該取付杆と該樋支持具本体とを相互にスライド可能とし、所望の位置で固定できるようにした樋支持具において、
上記横回転ロックレバーは、上記連結軸を貫通させる孔を有した基板と、該基板の端部より下方に向けて垂下し対向する一対の下方把持片と、該基板の端部より、上記樋支持具本体の両側方に向けて突出した一対の側方把持片とを備えたことを特徴とする樋支持具。
【請求項２】
請求項１において、
上記取付杆は、上記樋支持具本体と重合される支持片部を備えた構造とされ、
上記一対の側方把持片のそれぞれは、その上端の高さ位置が上記支持片部の上端を越えない形状とされる樋支持具。
【請求項３】
請求項１または２において、
上記一対の下方把持片のそれぞれには、側端縁を折曲してなる指当部が形成されている樋支持具。
【発明の詳細な説明】
【技術分野】
【０００１】
本発明は、軒先等に取り付けられる横回転ロック式の樋支持具に関し、くわしくは、雨樋を支持する樋支持具本体と、横方向に回転させる横回転ロックレバーを備えたロック機構を有し、樋支持具本体に対してスライド可能に連結した取付杆とを、この横回転ロックレバーを操作して、所望の位置でロックできるようにした樋支持具に関する。
【背景技術】
【０００２】
従来のこの種の樋支持具として、特許文献１等に開示されたものがある。このものは、横回転ロックレバーが、略矩形の基板の対向する２辺より垂下した一対の把持片よりなる下方把持部と、基板の対向する２つの角部近傍より上方に突き出た一対の把持片よりなる上方把持部とを備えて、いずれの把持部によってもロック／アンロックの操作が行える構造となっている。
【０００３】
このように、この樋支持具は２組の把持部を有しているため、操作性がきわめてよい。また、樋支持具を雨樋に取り付けた後には、雨樋がじゃまとなって下方把持部による操作がしにくくなるが、取付杆よりも高く突き出た上方把持部を、樋支持具本体の上側から指でつまんで操作できるため、樋支持具を雨樋に取り付けた後でもスライド調節がしにくくなることはない。
【特許文献１】特許３４６３９９５号公報
【発明の開示】
【発明が解決しようとする課題】
【０００４】
しかしながら、上方把持部が取付杆より高く突出していれば、樋支持具の取付位置によっては、その上方把持部の上端が屋根先端の瓦の下端に近接して、上側から上方把持部が使いにくくなるという問題がある。また、上方把持部が突出していれば、屋根の先端等と接触しないように、樋支持具の取付位置を十分に考慮しなければならない。また、把持片だけが高く突出していると、施工前や施工作業中等に変形、破損するおそれもある。
【０００５】
本発明は、このような事情を考慮して提案されたもので、その目的は、横回転ロックレバーの操作がしやすい樋支持具を提供することにある。また、樋支持具を雨樋に取り付けた後、取付状況や位置によらず簡単に操作でき、かつ安全に操作できる樋支持具を提供することも、本発明の目的に含まれる。
【課題を解決するための手段】
【０００６】
上記目的を達成するために、請求項１に記載の樋支持具は、取付杆と、横方向に回転させる横回転ロックレバーを有したロック機構とを、それらの間に、長孔を設けた樋支持具本体を挟み込んだ状態で該長孔を貫通する連結軸で連結して、取付杆と樋支持具本体とを相互にスライド可能とし、所望の位置で固定できるようにした樋支持具において、横回転ロックレバーは、連結軸を貫通させる孔を有した基板と、基板の端部より下方に向けて垂下し対向する一対の下方把持片と、基板の端部より、樋支持具本体の両側方に向けて突出した一対の側方把持片とを備えたことを特徴とする。
【０００７】
請求項２に記載の樋支持具では、取付杆は、樋支持具本体と重合される支持片部を備えた構造とされ、一対の側方把持片のそれぞれは、その上端の高さ位置が支持片部の上端を越えない形状とされる。
【０００８】
請求項３に記載の樋支持具は、一対の下方把持片のそれぞれには、側端縁を折曲してなる指当部が形成されている。
【発明の効果】
【０００９】
請求項１に記載の樋支持具によれば、横回転ロックレバーが、連結軸を貫通させる孔を有した基板の端部より下方に向けて垂下し対向する一対の下方把持片と、基板の端部より、樋支持具本体の両側方に向けて突出した一対の側方把持片とを備えているので、取付状況や位置によらず、いずれかの把持片によって簡易に操作することができる。特に、側方把持片は上方、下方いずれからの操作もできる、樋支持具本体の側方位置にあるので、利便性が高い。
【００１０】
請求項２に記載の樋支持具によれば、側方把持片は、その上端が取付杆の支持片部の上端を越えない形状となっているので、側方把持片がその上方にある屋根の先端等に接触するおそれはなく、かりに近接して上方からの操作ができない場合であっても、側方に突出しているので、下方把持片と同様に下方から操作ができる。また、側方把持片は上方に高く突出していないので、作業中に変形、破損するおそれもない。
【００１１】
請求項３に記載の樋支持具によれば、下方把持片には側端縁を折曲してなる指当部が形成されているので、指が滑ることなくわずかな力で回転操作することができる。
【発明を実施するための最良の形態】
【００１２】
以下に、本発明の実施の形態について、添付図面を参照しながら説明する。
【００１３】
図１は、本発明の樋支持具の一例を示す分解斜視図であり、図２は、同樋支持具の実施の態様を示す斜視図である。また、図３は同樋支持具の構成部材である取付杆の説明図で、図３（ａ）は平面図、（ｂ）は側面図、（ｃ）は図３（ａ）のＡ−Ａ線の端面図である。
【００１４】
この樋支持具１は、軒樋用の雨樋Ｔを取り付けて雨樋Ｔを上方より吊り支持する樋支持具本体３０と、軒先等に固定し、樋支持具本体３０を連結、支持する取付杆２と、水平方向に回転可能な横回転ロックレバー５０と、樋支持具本体３０と横回転ロックレバー５０の間に介され、この横回転ロックレバー５０のロック操作によって上方に押圧される受板４０とを上下に貫通するリベットＲよりなる連結軸で連結して構成されている。
【００１５】
本発明（本実施形態）は、ロック機構の主たる構成部材である横回転ロックレバー５０に最大の特徴を有したものであるが、説明の都合上、まず本実施形態で使用される取付杆２および樋支持具本体３０の形状、構造について説明する。
【００１６】
取付杆２は、長板状のステンレス材、鋼材等の金属材を略Ｌ字形に折曲して形成されており、これを倒Ｌ字状にして軒先等に取り付けたときに略水平となる支持片部１０と、取り付けたときに略垂直となる取付片部２０とより一体的に構成されている。支持片部１０の一端１０ａに配された、段落ち形成された連結部１４は、樋支持具本体３０と、上下に貫通する複数の孔を介してリベットＲで連結され、取付片部２０はビス等の固定具で直接、軒先等に固定される。
【００１７】
また、取付杆２の上面、つまり支持片部１０の上面と、取付片部２０の軒先等への固着面とには、複数の凸条が形成されている。具体的には、支持片部１０では、その両側縁部に一端１０ａから他端１０ｂに至るまで長手方向に沿った２本の支持片部凸条（側縁部）１１が形成され、内部にも長手方向に沿った３本の支持片部凸条（内部）１２が配列形成されており、それら支持片部凸条（側縁部）１１、支持片部凸条（内部）１２のうち、２本の支持片部凸条（側縁部）１１は、取付片部２０の両側縁部へと延びて平板状の２本の取付片部凸条（固定片）２１を形成しているとともに、３本の支持片部凸条（内部）１２は取付片部２０の内部へと延びて下方に向かう３本の取付片部凸条（内部）２２を形成している。また、取付片部２０の基端縁部には両側縁部の取付片部凸条（固定片）２１間をつなぐ横方向の取付片部凸条（基端縁部）２４が形成されている（図１〜図３を参照）。なお、平板状の２本の取付片部凸条（固定片）２１には、軒先等へ固定するための固定具用の孔２１ａが開設されている。
【００１８】
ようするに、取付杆２の上面には、側縁部から他方の側縁部までの５本の凸条と、取付片部２０の基端縁部の凸条とが形成されている。そして、支持片部凸条（側縁部）１１と支持片部凸条（内部）１２間、および支持片部凸条（内部）１２相互間には支持片部凹条１３が形成され、取付片部凸条（固定片）２１と取付片部凸条（内部）２２間、取付片部凸条（基端縁部）２４と取付片部凸条（内部）２２間、および取付片部凸条（内部）２２相互間には取付片部凹条２３が形成されている。
【００１９】
なお、取付杆２は薄板材で形成され、その裏側には、図３（ｃ）に、図３（ａ）のＡ−Ａ線の端面図を示すように、上面の凸条１１、１２、２１、２２と、凹条１３、２３とに対応した凹凸面が形成されている。
【００２０】
このように、樋支持具１の取付杆２は、支持片部１０の一端１０ａに位置する連結部１４の開放端部を除く周縁部と、周縁部に囲まれた内部とに複数の凸条１１、１２、２１、２２、２４が形成されているので、全面にわたって強度はきわめて高く、取付杆２を薄肉化しても、雨樋を支持するための強度を保持することができる。特に、軒先等よりアーム状に延びた状態となり、雨樋を吊り支持することで負荷のかかる支持片部の強度は格段に向上する。
【００２１】
また、図例のように、支持片部１０から取付片部２０まで分断することなく凸条を連成することで、取付杆２全体を全面にわたって補強することができる。そのため、取付杆２を軒先等に固定する場合に、他の板状部材で取付片部２０を軒先等との間に挟み込んで支持する必要がなく、取付片部２０を直接、ビス等で軒先等に固定することができる。
【００２２】
また、支持片部凸条（側縁部）１１、支持片部凸条（内部）１２間に支持片部凹条１３を形成しているので、その支持片部凹条１３が支持片部１０の後部から前部につながる雨水流路となり得、支持片部１０に落ちてきた雨水を有効に雨樋Ｔへと誘導することができる。雨水を支持片部１０の凹条１３に滞留させることなく確実に効率よく誘導するために、支持片部凹条１３は一端１０ａ側に向けて下り傾斜させることが望ましい。
【００２３】
さらに、取付杆２は、図３（ａ）、（ｂ）に示すように、支持片部１０の幅を、樋支持具本体３０を支持している一端１０ａから、取付片部２０を延設している他端１０ｂに至るにしたがって幅広となるように形成されている。すなわち、支持片部１０の他端１０ｂの根元部分では、取付片部２０と同幅となっており、一端１０ａ側に向かって先細りの形状となっている。そのため、支持片部１０の幅広部分には、本実施形態のように複数の支持片部凸条（側縁部）１１、支持片部凸条（内部）１２を形成することができる。
【００２４】
また、この取付杆２は矩形の板状体より成形されるが、支持片部１０の他端１０ｂ部分が取付片部２０と同幅に連成されているので、切取り廃棄する材料を最小限に抑えられる。
【００２５】
このような取付杆２は、その下方に配される、長孔３１ａを有した樋支持具本体３０と連結される。
【００２６】
この樋支持具本体３０は、長板状のステンレス材、鋼材等の金属材よりなり、スライド板本体３１の前後端のそれぞれに、雨樋Ｔを吊り支持するための樋係止部３２を備えているとともに、スライド板本体３１の両側縁部には本体凸条３３が形成されている。この本体凸条３３は、樋支持具本体３０に取付杆２を重合させたときに、支持片部１０の連結部１４の両側縁部に形成されている支持片部凸条（側縁部）１１の裏側にできる凹部と嵌合する（後述する図６を参照）。
【００２７】
このように、取付杆２と樋支持具本体３０とは、相互に嵌合できる程度に形状が合致した支持片部凸条（側縁部）１１、本体凸条３３同士を嵌合させ、重合させて連結させる構造であるため、連結を確実に行うことができ、２部材による構造であっても、強度が弱まるおそれはない。
【００２８】
樋支持具本体３０はさらに、スライド板本体３１の両本体凸条３３間の凹部中央に、長手方向に沿った長孔３１ａが開設されており、その長孔３１ａの周囲部には、長孔３１ａを横断する方向に走る細溝３１ｃを連続して配列した凹凸面部３１ｂが形成されている。
【００２９】
また、この樋支持具本体３０は、取付杆２と同様に薄板材で形成されており、スライド板本体３１の下面にも、上面の凹凸面部３１ｂの加工とともにできた複数の細溝３１ｅよりなる凹凸面部３１ｄが形成されており（後述の図８を参照）、その下面の複数の細溝３１ｅのいずれかに、後述する受板４０の爪部４２が嵌合して相互に係止する構造となっている。
【００３０】
受板４０は、横回転ロックレバー５０によりロック操作がされたときに樋支持具本体３０と係合する一方、アンロック操作がされたときに係合が解除されるように、樋支持具本体３０の直下に、樋支持具本体３０の下面に接するように配されている。
【００３１】
受板４０は略矩形の金属製の平板よりなり、基板４１の中央にリベット貫通用の孔４３が開設されており、樋支持具本体３０の長手方向に直交する方向の両辺縁部には、上方に突き出た爪部４２が形成されている。上述したように、この爪部４２が樋支持具本体３０の下面に形成された細溝３１ｅと係合することで、樋支持具本体３０と取付杆２との連結がロックされる。また、受板４０の下面には、相互に平行な２つの膨出部４４が、樋支持具本体３０のスライド板本体３１の長手方向と直交するように形成されている。
【００３２】
ついで、樋支持具本体３０と、支持片部２０および取付片部３０よりなる取付杆２と、受板４０と、横回転ロックレバー５０との連結構造およびロック機構について、図１、図２にくわえて、図４〜図８をさらに参照しながら説明する。
【００３３】
図４は、本発明の要部構成部材である横回転ロックレバー５０の拡大斜視図である。なお、図４には、同部材の特徴を理解しやすくするために、図１とは異なる方向から見た斜視図を示している。また、図５（ａ）は横回転ロックレバー５０の平面図、（ｂ）は側面図である。図６は、樋支持具１を構成する上記４部材（取付杆２、樋支持具本体３０、受板４０、横回転ロックレバー５０）が連結し、ロックされた状態を示した概略拡大縦断面図である。なお、図６における方向Ｂは、図１の方向Ｂと一致する。図７（ａ）、（ｂ）は樋支持具の設置例を示した図である。図８はロック機構の説明図であり、図８（ａ）はロック状態、（ｂ）はアンロック状態における、受板４０、横回転ロックレバー５０、樋支持具本体３０、取付杆２（支持片部１０）の位置関係を示す縦断面図である。なお図７および図８では、各部材について模式的に図示している。
【００３４】
横回転ロックレバー５０は平板状の金属を切断、折曲してなり、リベットＲ貫通用の孔５２を有した略矩形の基板５１と、その基板５１の対向する長辺５１ｂの両辺縁より下方に垂下した一対の下方把持片５４と、基板５１の両鋭角角部５１ａから短辺５１ｃの延長方向に相互に遠ざかるように延び、孔５２を中心として相互に点対称位置に配された一対の側方把持片５３とを備えている（図４および図５を参照）。
【００３５】
この一対の側方把持片５３はいずれも、基板５１の長辺５１ｂの、鋭角角部５１ａ近傍の一部が外方に向けて立ち上がった立ち上がり片５３ａと、この立ち上がり片５３ａが短辺５１ｃの延長方向に沿って折曲されて外方に延びてなる略三角形状の突出片５３ｂとより構成されている。これら２つの側方把持片５３は、孔５２を中心として相互に点対称となるように配されている（図４および図５を参照）。
【００３６】
また、基板５１は、平行四辺形を変形させた略矩形形状であり、リベットＲよりなる連結軸を回転軸として貫通させる孔５２を中心として横回転が可能となっている。さらに、対向する長辺５１ｂの、立ち上がり片５３ａを形成した端部とは異なる端部が、わずかに外側に突出した形状となっており、長辺５１ｂより垂下した下方把持片５４も、基板５１の長辺５１ｂの形状にともなって垂下されて、側端縁が外側に折曲して膨らんだ形状となっている。下方把持片５４の、この折曲された側端縁が指当部５４ａを構成する。
【００３７】
この横回転ロックレバー５０は、ロック状態では、図２および図６に示すように、一対の立ち上がり片５３ａが、重なり合った樋支持具本体３０のスライド板本体３１と、取付杆２の支持片部２０とを側方より挟み込むように配されている。そして、このロック状態では、一対の突出片５３ｂはスライド板本体３１の両側縁から両側方に飛び出ている。
【００３８】
また、本実施形態では、樋支持具１は、ロック／アンロック状態のいずれであっても、横回転ロックレバー５０の側方把持片５３の上端、つまり側方把持片５３の立ち上がり片５３ａの上端５３ｃが、取付杆２の支持片部１０の両側縁部に位置する支持片部凸条（側縁部）１１の上端を超えないように配されている（図２および図６を参照）。
【００３９】
樋支持具１をスライド調節する場合には、下方把持片５４を樋支持具１の下側より指先でつまんで回転させるか、または側方把持片５３を樋支持具１の下側あるいは上側より指先で突出片５３ｂにあてがうようにして回転させることで、ロック／アンロック操作をすることができる。つまり、この樋支持具１によれば、２通りのロック／アンロック操作ができ、操作性にすぐれている。
【００４０】
特に、側方把持片５３は、樋支持具１の下側あるいは上側のいずれからでも操作できる位置にあるので、使い勝手がよく、樋支持具１を雨樋Ｔに取り付けた後にロック／アンロック操作をする場合でも、樋支持具１の上方空間の高さにあわせて、下側、上側のいずれからでも操作できるので、利便性が高い。
【００４１】
すなわち、例えば図７（ａ）のように、樋支持具１の上方で屋根Ｙの先端より下方に十分な空間がある場合には、側方把持片５３を上側からつまんで操作すればよいし、図７（ｂ）のように、樋支持具１が屋根Ｙの先端等に近接して上側からの操作ができない場合には、雨樋Ｔの中に手を入れて、側方把持片５３を下側から操作すればよい。
【００４２】
なお、図７（ｂ）のように上側からの操作ができない場合には、下方把持片５４を操作してもよいが、樋支持具１を雨樋Ｔに取り付けた後では、下方把持片５４は上方から視認しにくいため、取付作業の不慣れな者が作業する場合には、側方把持片５３を操作するほうが効率よく作業できる。
【００４３】
また、側方把持片５３の上端５３ｃの高さ位置が支持片部１０の上端を越えないので、樋支持具本体３０と取付杆２の連結部２４との重合部分が、屋根Ｙの先端等にいかに近接していたとしても、側方把持片５３が屋根Ｙの先端等に接触するおそれはなく、そのため、側方支持片５３によって樋支持具１の取付位置が制約されることはない。側方把持片５３の上端５３ｃの高さ位置が支持片部１０の上端を越えないから、施工作業中等に引っ掛け等により変形、破損するおそれもない。
【００４４】
また、側方把持片５３の上端５３ｃが高く突出していないから、屋根からの雨水を効果的に収集させるために、樋支持具１を屋根の先端等に近接して配設することができる。特に、図３等で上述したように、本実施形態に示した取付杆２は、種々の凸条１１、１２、２１、２２、２４および凹条１３、２３が形成された取付杆２を使用して、雨水が支持片部１０の上に滞留しにくく流れやすい構造としているため、この構造と、側方把持片５３が突出しない構造とがあいまって、樋支持具１を、雨水を収集しやすい高さ位置に取り付けることができる。なお、取付杆は凸条および凹条を有さないものでもよく、形状、構造は上記の取付杆２のものに限定されない。
【００４５】
一方、下方把持片５４は、上述したように、樋支持具１を雨樋Ｔに取り付けた後には視認しにくくなるが、下方把持片５４の位置をよく知った作業熟練者にとってはむしろ使いやすく、特に、本実施形態では、それぞれの下方把持片５４の側端縁に指当部５４ａが形成されているので、指が滑ることなくわずかな力で回転操作することができる。
【００４６】
ついで、図８を参照しながらロック機構の動作について説明する。横回転ロックレバー５０をアンロック状態（図８（ｂ）を参照）からロック方向に回転操作すれば、横回転ロックレバー５０の基板５１が受板４０の膨出部４４に乗り上げ、この膨出部４４の、基板４１の裏面からの高さＬ分だけ受板４０を押し上げる。それと同時に、受板４０の爪部４２が樋支持具本体３０の下面を押し上げるとともに、爪部４２が樋支持具本体３０の下面に形成された凹凸面部３１ｄの細溝３１ｅに噛合し、樋支持具本体３０が取付杆２の支持片部１０に圧接して、ロック状態となる（図８（ａ）を参照）。
【００４７】
一方、ロック状態（図８（ａ）を参照）から横回転ロックレバー５０をアンロック方向に回転操作すれば、横回転ロックレバー５０の基板５１が、受板４０の２つの膨出部４４、４４間に嵌まり込むように、受板４０が膨出部４４の高さ分だけ落下するので、樋支持具本体３０も落下して、取付杆２の支持片部１０とのロックが解除されて、膨出部４４の高さＬ分がゆるんだアンロック状態となる（図８（ｂ）を参照）。
【図面の簡単な説明】
【００４８】
【図１】本発明の樋支持具の一例を示す分解斜視図である。
【図２】同樋支持具の実施の態様を示す斜視図である。
【図３】同樋支持具の構成部材である取付杆の説明図で、（ａ）は平面図、（ｂ）は側面図、（ｃ）は（ａ）のＡ−Ａ線の端面図である。
【図４】同樋支持具の要部構成部材である横回転ロックレバーの拡大斜視図である。
【図５】（ａ）は同樋支持具の構成部材である横回転ロックレバーの平面図、（ｂ）は側面図である。
【図６】同樋支持具の４部材が連結し、ロックされた状態を示した概略縦断面図である。
【図７】（ａ）、（ｂ）は同樋支持具の設置例を示した図である。
【図８】ロック機構の説明図であり、（ａ）はロック状態、（ｂ）はアンロック状態の概略縦断面図である。
【符号の説明】
【００４９】
１      樋支持具
２      取付杆
Ｔ      雨樋
Ｒ      リベット（連結軸、回転軸）
１０      支持片部
１１      凸条（側縁部）
１２      凸条（内部）
１３      凹条
２０      取付片部
２１      固定片（凸条（側縁部））
２２      凸条（内部）
２３      凹条
２４      凸条（基端縁部）
３０      樋支持具本体
３１      スライド板本体
３１ａ      長孔
３３      本体凸条
４０      受板
４１      基板
４２      爪部
４３      孔
４４      膨出部
５０      横回転ロックレバー
５１      基板
５２      孔
５３      側方把持片
５４      下方把持片
５４ａ      指当部
【図１】
2010150882.tif 000003
【図２】
2010150882.tif 000004
【図３】
2010150882.tif 000005
【図４】
2010150882.tif 000006
【図５】
2010150882.tif 000007
【図６】
2010150882.tif 000008
【図７】
2010150882.tif 000009
【図８】
2010150882.tif 000010